Podtech/llm-jp-corpus-v4-ja_patent huggingface dataset:
【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
バイオレットニトリルならびにファラオンおよび／またはジナリンを含有する香料を含む、デオドラント組成物。
【請求項２】
バイオレットニトリルが、香料の０．００１重量％〜０．０１重量％の量で存在する、請求項１に記載のデオドラント組成物。
【請求項３】
香料を基準として、０．００２重量％の量のバイオレットニトリルおよび０．００５重量％の量のファラオンを含む、請求項１または２に記載のデオドラント組成物。
【請求項４】
臭気の認知を減少させるための、請求項１〜３のいずれか一項に記載のデオドラント組成物におけるバイオレットニトリルならびにファラオンおよび／またはジナリンの使用。
【請求項５】
臭気が、女性の臭気である、請求項４に記載の使用。
【請求項６】
臭気が、女性の腋窩臭気である、請求項５に記載の使用。
【請求項７】
請求項１〜３のいずれか一項に記載のデオドラント組成物を投与することを含む、臭気の認知を減少させる方法。
【請求項８】
臭気が、女性の臭気である、請求項７に記載の方法。
【請求項９】
臭気が、女性の腋窩臭気である、請求項８に記載の方法。
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
CD122に特に結合して、CD122及びCD132を含む受容体に対するIL-2及びIL-15の結合を阻害するモノクローナル抗体。
【請求項２】
配列番号:73の残基42、43、65、70及び/又は133を含むCD122のエピトープに特に結合する請求項1に記載のモノクローナル抗体。
【請求項３】
配列番号:73の残基42、43及び65を含むCD122のエピトープ又は結合性にアロステリック的に影響を及ぼす残基65と残基42及び43を含むエピトープに特に結合する請求項1に記載のモノクローナル抗体。
【請求項４】
配列番号:73の残基65、70及び133を含むCD122のエピトープに特に結合する請求項1に記載のモノクローナル抗体。
【請求項５】
配列番号:73のフィブロネクチンタイプIIIドメイン1中のCD122のエピトープに特に結合する請求項1に記載のモノクローナル抗体。
【請求項６】
配列番号:73のフィブロネクチンタイプIIIドメイン1及び2中のCD122のエピトープに特に結合する請求項1に記載のモノクローナル抗体。
【請求項７】
CD122に対する結合は、配列番号:73における番号である残基39又は41をアラニンで置換することによっては検出可能なレベルで阻害されない、請求項1から6のいずれかに記載のモノクローナル抗体。
【請求項８】
CD122、CD132及びCD25を含む受容体に対するIL-2の結合を阻害し、
IL-15Rα又はその断片に結合してトランス提示されているIL-15がCD122及びCD132を含む受容体に結合することを阻害し、
CD122、CD132及びIL-15Rαを含む受容体に対するIL-15の結合を阻害する、請求項1から7のいずれかに記載のモノクローナル抗体。
【請求項９】
望ましくない免疫応答、任意に移植片対宿主疾患を抑制させるために使用する、請求項1から8のいずれかに記載のモノクローナル抗体。
【請求項１０】
配列番号:30の成熟軽鎖可変領域及び配列番号:25の成熟重鎖可変領域によって特徴づけられる抗体ABC2、又は配列番号:40の成熟軽鎖可変領域及び配列番号:35の成熟重鎖可変領域によって特徴づけられる抗体ABC101、CD122に対する特異的結合に関して競合する、請求項1に記載のモノクローナル抗体。
【請求項１１】
ABC2又はABC101と同じ、CD122上のエピトープに結合する、請求項1に記載のモノクローナル抗体。
【請求項１２】
ABC2(配列番号:27-29の軽鎖及び22-24の重鎖)又はABC101(配列番号:37-39軽鎖、32-34の重鎖)の対応するCDRと少なくとも90%の配列同一性を有する、3つの軽鎖CDR及び3つの重鎖CDRを含む、請求項1に記載のモノクローナル抗体。
【請求項１３】
ABC2又はABC101の3つの軽鎖CDR及び3つの重鎖CDRを含む、請求項1に記載のモノクローナル抗体。
【請求項１４】
キメラ型か、ヒト化か、ベニア化か、ヒト型である、請求項1から13のいずれかに記載のモノクローナル抗体。
【請求項１５】
ヒトIgG1カッパアイソタイプを有する、請求項1から14のいずれかに記載のモノクローナル抗体。
【請求項１６】
完全な抗体である、請求項1から15のいずれかに記載のモノクローナル抗体。
【請求項１７】
単鎖抗体、Fab又はFab'2断片である、請求項1から15のいずれかに記載のモノクローナル抗体。
【請求項１８】
CD122に特に結合する、ヒト化かキメラABC2抗体であって、ABC2は、配列番号:30の成熟軽鎖可変領域及び配列番号:25の成熟重鎖可変領域によって特徴づけられるマウス抗体である、ヒト化かキメラABC2抗体。
【請求項１９】
ABC2軽鎖(配列番号:30)の3つのCDRを含むヒト化軽鎖及びABC2重鎖(配列番号:25)の3つのCDRを含むヒト化重鎖を含む、請求項18に記載のヒト化抗体。
【請求項２０】
配列番号:42と少なくとも90%同一性があるヒト化成熟軽鎖可変領域及び配列番号:41と少なくとも90%同一性があるアミノ酸配列を有するヒト化成熟重鎖可変領域を含む、請求項18に記載のヒト化抗体。
【請求項２１】
カバット番号付けによる位置H28、H48、H49、H68、H93及びL71がそれぞれ残基T、I、A、I、A及びYによって占められている、請求項18に記載のヒト化抗体。
【請求項２２】
更に、カバット番号付けによる位置H42がGによって占められている、請求項21に記載のヒト化抗体。
【請求項２３】
軽鎖CDRは配列番号:27-29であり、重鎖CDRは配列番号:22-24である、請求項18に記載のヒト化抗体。
【請求項２４】
CD122に特に結合するヒト化かキメラABC101抗体であって、ABC101は、配列番号:40の成熟軽鎖可変領域及び配列番号:35の成熟重鎖可変領域によって特徴づけられる、ヒト化かキメラABC101抗体。
【請求項２５】
配列番号:40の3つのCDRを含むヒト化軽鎖及び配列番号:35の3つのCDRを含むヒト化重鎖を含む、請求項24に記載のヒト化抗体。
【請求項２６】
配列番号:44と少なくとも90%同一性があるヒト化成熟軽鎖可変領域及び配列番号:43と少なくとも90%同一性があるアミノ酸配列を有するヒト化成熟重鎖可変領域を含む、請求項24に記載のヒト化抗体。
【請求項２７】
カバット番号付けによる位置H27、H30、H48、H66、H67、H71及びL49がそれぞれ残基Y、T、M、Q、I、R及びKによって占められ、請求項24に記載のヒト化抗体。
【請求項２８】
軽鎖CDRは配列番号:37-39であり、重鎖CDRは配列番号:32-34である、請求項24に記載のヒト化抗体。
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
眼科手術中に患者の眼組織を灌流するのに使用される眼灌流液であって、
その灌流液が、
（ａ）上記灌流液の粘度を増加させるのに有効な量のγ−ポリグルタミン酸（γ−ＰＧＡ）及び／又はその塩、並びに
（ｂ）上記γ−ＰＧＡ及び／又はその塩のための、眼科的に許容可能な水性賦形剤
を含み、
上記灌流液のオスモル濃度が、１リットル当たり２９０〜３２０ｍＯｓｍである、
眼灌流液。
【請求項２】
上記眼灌流液の粘度が、０．３２〜５０センチポアズ、又は０．３２〜３０センチポアズ、又は０．３２〜３．９３センチポアズである、請求項１に記載の、眼科手術中に患者の眼組織を灌流するのに使用される眼灌流液。
【請求項３】
上記眼灌流液の屈折率が、１．３３０〜１．３４４である、
請求項１に記載の、眼科手術中に患者の眼組織を灌流するのに使用される眼灌流液。
【請求項４】
上記眼灌流液が、架橋ポリグルタミン酸を含まず、かつ、さらなるポリアミノ酸又はポリマーを含まない、
請求項１に記載の、眼科手術中に患者の眼組織を灌流するのに使用される眼灌流液。
【請求項５】
上記眼科的に許容可能な水性賦形剤が、電解質と、緩衝剤と、エネルギー源とを含有する平衡塩類溶液を含む、
請求項１に記載の、眼科手術中に患者の眼組織を灌流するのに使用される眼灌流液。
【請求項６】
上記γ−ＰＧＡの分子量が、１０，０００〜２，０００，０００ダルトン、又は１，０００，０００〜２，０００，０００ダルトンである、
請求項１に記載の、眼科手術中に患者の眼組織を灌流するのに使用される眼灌流液。
【請求項７】
上記灌流液が、
（ａ）上記灌流液の粘度を増加させるのに有効な量のγ−ポリグルタミン酸（γ−ＰＧＡ）及び／又はその塩、並びに
（ｂ）以下を含む眼科的に許容可能な水性賦形剤：
（ア）Ｈ2Ｏ；
（イ）ＮａＣｌ；
（ウ）ＣａＣｌ2；
（エ）ＭｇＣｌ2；
（オ）ＮａＨＣＯ3；
（カ）Ｎａ2ＨＰＯ4；
（キ）ｐＨを７．２〜７．４に調節するためのＨＣｌまたはＮａＯＨ；
（ク）デキストロース；および
（ケ）ＫＣｌ
を含み、
上記灌流液のオスモル濃度が、１リットル当たり２９０〜３２０ｍＯｓｍである、
請求項１に記載の、眼科手術中に患者の眼組織を灌流するのに使用される眼灌流液。
【請求項８】
眼科手術中に患者の眼組織を灌流するのに十分な量の眼灌流液であって、
（ａ）上記溶液の粘度を増加させるのに有効な量のγ‐ポリグルタミン酸（γ−ＰＧＡ）及び／又はその塩、並びに
（ｂ）上記γ−ＰＧＡ及び／又はその塩のための、眼科的に許容可能な水性賦形剤であって、眼科手術中において患者の眼組織に対するストレス誘導性損傷を低減するのに用いるための水性賦形剤
を含み、
上記灌流液のオスモル濃度が、１リットル当たり２９０〜３２０ｍＯｓｍである、
眼灌流液。
【請求項９】
上記眼科手術が、硝子体切除術、白内障摘出術、水晶体吸引術、前眼部再建術、及び水晶体乳化吸引術を含む、請求項８に記載の眼灌流液。
【請求項１０】
上記灌流液の粘度が、０．３２〜３．９３センチポアズである、
請求項１に記載の、眼科手術中に患者の眼組織を灌流するのに使用される眼灌流液。
【請求項１１】
上記眼科的に許容可能な水性賦形剤が、抗酸化物質をさらに含む、請求項１に記載の、眼科手術中に患者の眼組織を灌流するのに使用される眼灌流液。
【手続補正書】
【提出日】平成26年3月28日(2014.3.28)
【手続補正１】
【補正対象書類名】特許請求の範囲
【補正対象項目名】請求項１３
【補正方法】変更
【補正の内容】
【請求項１３】
前記材料は、ポリエチレンオキシド及びヒドロキシプロピルセルロースの内の少なくとも１つを有する可溶性のフィルム材料を有していることを特徴とする請求項８に記載の装置。
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
アタザナビル硫酸塩および酸性化剤を含有する圧縮錠剤。
【請求項２】
該酸性化剤が、クエン酸、酒石酸、フマル酸、アスコルビン酸、およびそれらの混合物からなる群から選択される、請求項１に記載の圧縮錠剤。
【請求項３】
沈降遅延剤をさらに含有する、請求項１に記載の圧縮錠剤。
【請求項４】
該沈降遅延剤が、ポリビニルピロリドン、ポリビニルピロリドン-酢酸ビニル、ヒドロキシプロピルセルロース、ヒドロキシプロピルメチルセルロース、ヒドロキシプロピルメチルセルロースアセテートスクシネート、およびそれらの混合物からなる群から選択される、請求項１に記載の圧縮錠剤。
【請求項５】
抗HIV活性を有するかまたはアタザナビルの薬物動態を向上させる能力を有する少なくとも１つの他の薬剤を含有する、請求項１に記載の圧縮錠剤。
【請求項６】
該他の薬剤がリトナビルである、請求項５に記載の圧縮錠剤。
【請求項７】
該他の薬剤がコビシスタットである、請求項５に記載の圧縮錠剤。
【請求項８】
HIV感染症を処置するための、請求項１に記載の圧縮錠剤。
【請求項９】
(a)アタザナビル硫酸塩および酸性化剤を混合して第一混合物を得ること;および、
(b)該第一混合物を顆粒化して顆粒化混合物を得ること、
を含む、アタザナビル硫酸塩の組成物を製造する方法。
【請求項１０】
(c)該顆粒化混合物と顆粒外成分を混合して第二混合物を得ること;および、
(d)該第二混合物を圧縮して錠剤を得ること、
をさらに含む、請求項９に記載の方法。
【請求項１１】
(a)アタザナビル硫酸塩およびポリマーを配合して第一配合物を得ること;
(b)該第一配合物を押し出して成形物を得ること;
(c)該成形物と酸性化剤を混合して第二配合物を得ること;および、
(d)該第二配合物を圧縮して錠剤を得ること、
を含む、アタザナビル硫酸塩の組成物の製造方法。
【請求項１２】
(a)溶媒に溶解させたアタザナビル硫酸塩および酸性化剤の溶液を得ること;
(b)該溶液を噴霧乾燥させて粒子を得ること;
(c)該粒子と顆粒外成分を混合して噴霧乾燥混合物を得ること;および、
(d)該噴霧乾燥混合物を圧縮して錠剤を得ること、
を含む、アタザナビル硫酸塩の組成物の製造方法。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
治療上有効上のメピバカインまたはその医薬上許容される塩、またはその混合物を有する皮膚への適用のための医薬投与形態。
【請求項２】
５ｎｇ／ｍＬ〜６０００ｎｇ／ｍＬのメピバカインのＣｍａｘを提供する請求項１記載の投与形態。
【請求項３】
前記Ｃｍａｘは１〜１６８時間の平均で起こる請求項２記載の投与形態。
【請求項４】
治療上有効量のメピバカインまたはその医薬上許容される塩、またはその混合物と、前記投与形態を１週間までのヒト患者への投与に適したものとするための制御放出材料とを有する皮膚への適用のための医薬投与形態であって、前記形態は５ｎｇ／ｍＬ〜６０００ｎｇ／ｍＬのメピバカインのＣｍａｘを提供する医薬投与形態。
【請求項５】
治療上有効量のメピバカインまたはその医薬上許容される塩、またはその混合物を有する皮膚への適用のための医薬投与形態であって、前記投与形態は１ｎｇ／ｍＬ〜３０００ｎｇ／ｍＬのメピバカインのＣｍｉｎを提供する医薬投与形態。
【手続補正２】
【補正対象書類名】明細書
【補正対象項目名】００４３
【補正方法】変更
【補正の内容】
【００４３】
神経障害、神経因性疼痛および慢性疼痛は、数週間、数カ月、数年および数十年さえの療法を必要とし得ることもある。その結果、長期療法の安定性はかなり重要である。局部麻酔剤は、末梢神経が負傷後に（例えば、化学的負傷、機械的負傷、または神経変性病への暴露後に）成長し、または再生することができる部位へ適用されることもあるので、成長しているニューロンに対するそれらの効果は臨床的に重要なものである。同様に、負傷後に（例えば、化学的負傷、機械的負傷、または神経変性病への暴露後に）成長している、または再生している神経に対する局部麻酔剤を含めた薬物の効果は、特に、神経繊維が新しい芽を再生し、および作り出している外科的処置後および外傷後疼痛において臨床的に重要なものである。Ｒａｄｗａｎ  ｅｔ  ａｌ．（Ａｎｅｓｔｈ  Ａｎａｌｇ  ２００２；９４：３１９−２４）は、成長しているニューロンにおいて形態学変化を生じさせる局部麻酔剤のリドカイン、ブピバカイン、メピバカイン、およびロピバカインの効果を評価し、および成長円錐崩壊アッセイにおけるＩＣ５０はメピバカインについて最高であって、リドカインについて最低であることを示し、これは、リドカインが、発生している、または再生している一次培養ニューロンに対してより大きな潜在的神経毒性効果を有していたことを示す。これらのデータは、リドカインがブピバカインよりも神経毒性についてより大きな潜在能力を有したという、従前の組織病理学、電気生理学、挙動、およびニューロン細胞モデルを確認した（Ｂａｉｔｏｎ  ｅｔ  ａｌ，Ａｎｅｓｔｈｅｓｉｏｌｏｇｙ  １９９４；８１：６５７−６７；Ｋａｎａｉ  ｅｔ  ａｌ．，Ａｎｅｓｔｈ  Ａｎａｌｇ  １９９８；８６：５６９−７３；Ｌａｍｂｅｒｔ  ｅｔ  ａｌ．，Ａｎｅｓｔｈｅｓｉｏｌｏｇｙ  １９９４；８０：１０８２−９３）。加えて、従前の組織病理学研究において、Ｋａｎａｉ  ｅｔ  ａｌ．（Ａｎｅｓｔｈ  Ａｎａｌｇ  ２０００；９１：９４４−４８）は、８０ｍＭ（２．１７％）リドカインがラット坐骨神経においてニューロン損傷を誘導したことを示した。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，６８２，７５７号明細書  
（特許文献２）  米国特許出願公開第２０１０／００４１７０４号明細書
（特許文献３）  国際公開第０３／０３５０００号
（特許文献４）  米国特許出願公開第２００８／０２８６２９９号明細書
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
Ａ）
Ａ１）６０〜８０重量％の、結晶性プロピレンホモポリマーまたは最高で５重量％のエチレン及び／又は一種以上のＣ4-Ｃ10α−オレフィンを含むコポリマーであって、該ホモポリマーまたはコポリマーのＭＦＲ値（２３０℃、２．１６ｋｇ）が５０ｇ／１０分以下であり、その室温（約２５℃）でのキシレン可溶性成分の含量が７重量％以下であるものと、
Ａ２）２０〜４０重量％の、エチレンと一種以上のＣ4-Ｃ10α−オレフィンとの一種以上のコポリマーであって、１５〜３５重量％の前記Ｃ4-Ｃ10α−オレフィンを含むものと、
を含むポリマーブレンドであって、
該ポリマーブレンド（Ａ）のＭＦＲ値が最大で３０ｇ／１０分であり；エチレンの総量が２０重量％以上であり；Ｃ4-Ｃ10α−オレフィンの総量が４．５重量％以上であり；Ｃ4-Ｃ10α−オレフィンの総量に対するエチレンの総量の比が２．３以上であり、キシレン可溶性成分の室温での固有粘度が１．５ｄｌ／ｇ以下である（なお、上記の（Ａ１）と（Ａ２）の量は、ポリマーブレンド（Ａ）の総重量に対する値である）ものと；
Ｂ）タルク鉱物充填剤（なお、成分（Ｂ）の量が、該組成物の総重量に対して２０〜４０重量％である）と
を含むポリマー組成物。
【請求項２】
さらに、
Ｃ）Ａ２）とは異なる弾性ポリマーであって、硬度（ショアＡ、ＡＳＴＭ  Ｄ−２２４０）が８０以下であるものを含む（なお、成分（Ｃ）の量は、組成物の総重量に対して１〜１５重量％である）請求項１に記載のポリマー組成物。
【請求項３】
Ａ）
Ａ１）６０〜８０重量％の、結晶性プロピレンホモポリマーまたは最高で５重量％のエチレン及び／又は一種以上のＣ4-Ｃ10α−オレフィンを含むコポリマーであって、該ホモポリマーまたはコポリマーのＭＦＲ値（２３０℃、２．１６ｋｇ）が５０／１０分以下であり、その室温（約２５℃）でのキシレン可溶性成分の含量が７重量％以下であるものと、
Ａ２）２０〜４０重量％の、エチレンと一種以上のＣ4-Ｃ10α−オレフィンとの一種以上のコポリマーであって、１５〜３５重量％の前記Ｃ4-Ｃ10α−オレフィンを含むものと、
を含むポリマーブレンドであって、
該ポリマーブレンド（Ａ）のＭＦＲ値が最大で３０ｇ／１０分であり；エチレンの総量が２０重量％以上であり；Ｃ4-Ｃ10α−オレフィンの総量が４．５重量％以上であり；Ｃ4-Ｃ10α−オレフィンの総量に対するエチレンの総量の比が２．３以上であり、キシレン可溶性成分の室温での固有粘度が１．５ｄｌ／ｇ以下である（なお、上記の（Ａ１）と（Ａ２）の量は、ポリマーブレンド（Ａ）の総重量に対する値である）ものを７６〜６０重量％；
Ｂ）タルク鉱物充填剤を２２〜３０重量％；及び
Ｃ）Ａ２）とは異なる弾性ポリマーであって、硬度（ショアＡ、ＡＳＴＭ  Ｄ−２２４０）が８０以下であるものを２〜１０重量％含む請求項２に記載のポリマー組成物。
【請求項４】
成分（Ｃ）の分子量分布（ＧＰＣで測定したＭｗ／Ｍｎ）が１〜３である請求項２または３に記載のポリマー組成物。
【請求項５】
成分（Ｃ）が、エチレンとＣ3-Ｃ10α−オレフィンとのコポリマーであって、該Ｃ3-Ｃ10α−オレフィンに由来する単位を少なくとも２０重量％含むものから選ばれる請求項２または３に記載のポリマー組成物。
【請求項６】
成分（Ｃ）が、
（ａ）エチレンと１−オクテンとの弾性コポリマーであって、２０〜４５重量％の１−オクテンを含むもの（１３Ｃ−ＮＭＲ分析）と、
（ｂ）エチレンと１−ブテンとの弾性熱可塑性コポリマーであって、２０〜４０重量％の１−ブテンを含むもの（１３Ｃ−ＮＭＲ分析）
からなる群から選ばれる請求項５に記載のポリマー組成物。
【請求項７】
ポリマーブレンド成分（Ａ）が、１４０℃以上のＤＳＣ溶融ピーク（ＴｍA1）と区別可能な、８０〜１４０℃の溶融ピーク（ＴｍA2）を示すＤＳＣサーモグラフ特性をもつ請求項１〜６のいずれか一項に記載のポリマー組成物。
【請求項８】
請求項１〜７のいずれか一項に記載のポリマー組成物を含む成形物。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
すべての立体異性体、互変異性体および同位元素誘導体を包含する式（Ｉ）：
【化１】
2013523802.tif 000001
［式中、
Ｊは
【化２】
2013523802.tif 000002
を表し；
Ａｒはナフタレンもしくはフェニル環であり、そのいずれもＣ1-6アルキル、Ｃ1-6アルコキシ、アミノ、Ｃ1-4モノアルキルアミノおよびＣ2-8ジアルキルアミノから独立して選択される１個もしくは複数の基により場合によっては置換されることができ；
ＱはＮまたはＣＨであり；
Ｒ1はＨ、
フェニル、または
非環式もしくは脂環式鎖状態の飽和もしくは不飽和の分枝もしくは非分枝Ｃ1-10アルキレンであり、ここで該鎖中の１もしくは複数の炭素は、−Ｏ−、−Ｎ−およびＳ（Ｏ）nから独立して選択されるヘテロ原子（１もしくは複数）により場合によっては取り替わっており、そしてこの鎖は、
１つのオキソ基、および／または
１もしくは複数のハロゲン原子
により場合によっては置換されており；
Ｒ2aはＨ、ハロまたは飽和もしくは不飽和の分枝もしくは非分枝Ｃ1-8アルキレン鎖であり、該鎖中の１もしくは複数の炭素は、−Ｏ−、−Ｎ−およびＳ（Ｏ）mから独立して選択されるヘテロ原子（１もしくは複数）により場合によっては取り替わっており、そしてこの鎖は１もしくは複数のハロゲン原子により場合によっては置換されており；
Ｒ2bはＨ、ハロ、場合によってはＯＨにより置換されたＣ1-6アルコキシもしくはＣ1-6アルキルであり；
Ｌは、飽和もしくは不飽和の分枝もしくは非分枝Ｃ1-6アルキレン鎖であり、該鎖中の１もしくは複数の炭素が−Ｏ−およびＳから選択されるヘテロ原子により場合によって取り替わっており、そしてこの鎖は１もしくは２個のオキソ基により場合によっては置換されており；
ＸはＣ1-3アルキルもしくはＣ1-3ハロアルキルにより場合によっては置換されたピリジンまたはピリミジン環であり；
Ｒ3はＨまたはＣ1-4アルキルであり；
Ｒ4はＣ1-10分枝もしくは非分枝の非環式もしくは脂環式アルキル鎖であり：
ｎは０、１もしくは２であり；
ｍは０、１もしくは２である］
の化合物またはその製薬学的に許容できる塩。
【請求項２】
Ｒ1が、ＯＨにより場合により置換された−Ｃ1-6アルキル、Ｃ3-10シクロアルキル、Ｃ3-10ヘテロシクロアルキル、Ｃ1-6ハロアルキル、Ｃ1-6アルキルＯＣ（Ｏ）ＣＨ3である、請求項１に記載の式（Ｉ）の化合物。
【請求項３】
Ｊが：
【化３】
2013523802.tif 000003
を表す請求項１または２に記載の式（Ｉ）の化合物。
【請求項４】
Ｒ2aが３もしくは４位に位置するメチル、エチル、ｎ−プロピル、イソ−プロピル、ｎ−ブチルまたはｔｅｒｔ−ブチルであるか、または
Ｒ2aが３もしくは４位に位置する−ＯＨであるか、または
Ｒ2aが３もしくは４位に位置するクロロであるか、または
Ｒ2aが３もしくは４位に位置する、ヒドロキシル基により置換された−Ｃ1-6アルキルであるか、または
Ｒ2aが３もしくは４位に位置する−Ｃ1-6アルコキシであるか、または
Ｒ2aが３もしくは４位に位置する−ＳＣ1-6アルキルであるか、または
Ｒ2aが３もしくは４位に位置する−ＳＯ2Ｃ1-6アルキルであるか、または
Ｒ2aが３もしくは４位に位置する−ＯＣＦ3であるか、または
Ｒ2aが３もしくは４位に位置する−ＮＲ’Ｒ”であり、ここでＲ’がＨ、−Ｃ1-3アルキルまたは−ＳＯ2Ｃ1-3アルキルであり、そしてＲ”がＨまたは−Ｃ1-3アルキルであるか、または
Ｊがフェニルであり、そしてＲ2aが３もしくは４位に位置するＮＨＳＯ2ＣＨ3である、
請求項３に記載の式（Ｉ）の化合物。
【請求項５】
Ｒ2bがＨであるか、または
Ｒ2bが２位もしくは３位に位置するハロである、
請求項３または４に記載の式（Ｉ）の化合物。
【請求項６】
Ｒ2aがクロロであり、そしてＲ2bがクロロであり、そしてそれぞれ３位および４位に位置しているか、または
Ｒ2aがクロロであり、そしてＲ2bが−ＯＣＨ3であり、そしてそれぞれ３位および４位に位置しているか、または
Ｒ2aが−ＯＣＨ3であり、そしてＲ2bが−ＯＣＨ3であり、そしてそれぞれ３位および４位に位置しているか、または
Ｒ2aがクロロであり、そしてＲ2bが−ＯＨであり、そしてそれぞれ３位および４位に位置している、
請求項３に記載の式（Ｉ）の化合物。
【請求項７】
Ａｒがナフチルである請求項１ないし６のいずれか１項に記載の式（Ｉ）の化合物。
【請求項８】
Ａｒがフェニルである請求項１ないし６のいずれか１項に記載の式（Ｉ）の化合物。
【請求項９】
ＬがＯである請求項１ないし８のいずれか１項に記載の式（Ｉ）の化合物。
【請求項１０】
Ｌが−ＯＣＨ2−もしくは−ＯＣＨ2ＣＨ2−を表す請求項１ないし８のいずれか１項に記載の式（Ｉ）の化合物。
【請求項１１】
Ｘがピリジンである請求項１ないし１０のいずれか１項に記載の式（Ｉ）の化合物。
【請求項１２】
Ｒ3がＨである請求項１ないし１１のいずれか１項に記載の式（Ｉ）の化合物。
【請求項１３】
１もしくは複数の製薬学的に許容できる希釈剤もしくは担体と組み合わされた請求項１ないし１２のいずれか１項に記載の化合物を含んでなる製薬学的組成物。
【請求項１４】
請求項１ないし１２のいずれか１項に記載の式（Ｉ）の化合物を有効成分として含んでなり、そして他の有効成分と組み合わさっていてもよい、医薬。
【請求項１５】
請求項１ないし１２のいずれか１項に記載の式（Ｉ）の化合物を有効成分として含んでなる、ＣＯＰＤ（慢性気管支炎および肺気腫を包含する）、喘息、小児喘息、嚢胞性線維症、サルコイドーシス、特発性肺線維症、アレルギー性鼻炎、鼻炎、副鼻腔炎、アレルギー性結膜炎、結膜炎、アレルギー性皮膚炎、接触皮膚炎、乾癬、潰瘍性大腸炎、関節リウマチもしくは変形性関節症対して二次的な炎症を起こした関節、関節リウマチ、膵炎、悪液質、非小細胞肺癌、乳癌、胃癌、結腸直腸癌および悪性黒色腫から選択される状態の処置もしくは予防に使用するため医薬。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
喘息の症状の治療又は緩和のための医薬の調製における３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩の使用。
【請求項２】
前記医薬が、ＨＲＶ感染を有する対象における喘息の症状の治療又は緩和のためのものである、請求項１に記載の使用。
【請求項３】
ＣＯＰＤの症状の治療又は緩和のための医薬の調製における３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩の使用。
【請求項４】
前記医薬が、ＨＲＶ感染を有する対象におけるＣＯＰＤの症状の治療又は緩和のためのものである、請求項３に記載の使用。
【請求項５】
喘息の悪化の発生率を低下し、又は喘息の悪化を予防するための医薬の調製における３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩の使用。
【請求項６】
前記医薬が、ＨＲＶ感染の危険性のある対象において喘息の悪化の発生率を低下し、又は喘息の悪化を予防するためのものである、請求項５に記載の使用。
【請求項７】
ＣＯＰＤの悪化の発生率を低下し、又はＣＯＰＤの悪化を予防するための医薬の調製における３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩の使用。
【請求項８】
前記医薬が、ＨＲＶ感染の危険性のある対象におけるＣＯＰＤの悪化の発生率を低下し、又はＣＯＰＤの悪化を予防するためのものある、請求項７に記載の使用。
【請求項９】
前記医薬が経口投与のために製剤化されている、請求項１から８のいずれか一項に記載の使用。
【請求項１０】
前記経口投与が経口経腸投与である、請求項９に記載の使用。
【請求項１１】
前記経口投与される３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩が、固体形態又は液体形態である、請求項９に記載の使用。
【請求項１２】
前記固体形態が錠剤又はカプセルである、請求項１１に記載の使用。
【請求項１３】
前記医薬が、鼻腔内投与又は吸入若しくは吹送による投与のために製剤化されている、請求項１から８までのいずれか一項に記載の使用。
【請求項１４】
前記医薬が静脈内投与のために製剤化されている、請求項１から８までのいずれか一項に記載の使用。
【請求項１５】
前記医薬が、少なくとも１種の喘息治療薬と組み合わせて、別々に、同時に、又は逐次的に投与するために製剤化されている、請求項１から１４までのいずれか一項に記載の使用。
【請求項１６】
３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩を含む、喘息の症状の治療又は緩和のための医薬組成物。
【請求項１７】
ＨＲＶ感染を有する対象における喘息の症状の治療又は緩和のための、請求項１６に記載の医薬組成物。
【請求項１８】
３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩を含む、ＣＯＰＤの症状の治療又は緩和のための医薬組成物。
【請求項１９】
ＨＲＶ感染を有する対象におけるＣＯＰＤの症状の治療又は緩和のための、請求項１８に記載の医薬組成物。
【請求項２０】
３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩を含む、喘息の悪化の発生率を低下し、又は喘息の悪化を予防するための医薬組成物。
【請求項２１】
ＨＲＶ感染の危険性のある対象において喘息の悪化の発生率を低下し、又は喘息の悪化を予防するための、請求項２０に記載の医薬組成物。
【請求項２２】
３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩を含む、ＣＯＰＤの悪化の発生率を低下し、又はＣＯＰＤの悪化を予防するための医薬組成物。
【請求項２３】
ＨＲＶ感染の危険性のある対象におけるＣＯＰＤの悪化の発生率を低下し、又はＣＯＰＤの悪化を予防するための、請求項２２に記載の医薬組成物。
【請求項２４】
経口投与のための、請求項１６から２３のいずれか一項に記載の医薬組成物。
【請求項２５】
経口経腸投与（oral enteral administration）のための、請求項２４に記載の医薬組成物。
【請求項２６】
前記経口投与される３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩が、固体形態又は液体形態である、請求項２４に記載の医薬組成物。
【請求項２７】
前記固体形態が錠剤又はカプセルである、請求項２６に記載の医薬組成物。
【請求項２８】
鼻腔内投与又は吸入若しくは吹送(insufflation)による投与のための、請求項１６から２３までのいずれか一項に記載の医薬組成物。
【請求項２９】
静脈内投与のための、請求項１６から２３までのいずれか一項に記載の医薬組成物。
【請求項３０】
少なくとも１種の喘息治療薬と組み合わせて、別々に、同時に、又は逐次的に投与するための、請求項１６から２９までのいずれか一項に記載の医薬組成物。
【請求項３１】
３−エトキシ−６−｛２−［１−（６−メチル−ピリダジン−３−イル）−ピペリジン−４−イル］−エトキシ｝−ベンゾ［ｄ］イソオキサゾール又は薬学的に許容されるその塩及び少なくとも１種の喘息治療薬を含む薬剤の組み合わせ。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
【化１】
2013523846.tif 000001
【化２】
2013523846.tif 000002
からなる群より選択される化合物、またはその水和物、溶媒和物、医薬的に許容される塩、プロドラッグ、錯体、またはラセミ混合物もしくはスケールミック混合物、ジアステレオマーもしくはエナンチオマー。
【請求項２】
該化合物が
【化３】
2013523846.tif 000003
である請求項１に記載の化合物。
【請求項３】
該化合物が
【化４】
2013523846.tif 000004
である請求項１に記載の化合物。
【請求項４】
該化合物が
【化５】
2013523846.tif 000005
である請求項１に記載の化合物。
【請求項５】
該化合物が
【化６】
2013523846.tif 000006
である請求項１に記載の化合物。
【請求項６】
該化合物が
【化７】
2013523846.tif 000007
である請求項１に記載の化合物。
【請求項７】
該化合物が
【化８】
2013523846.tif 000008
である請求項１に記載の化合物。
【請求項８】
該化合物が
【化９】
2013523846.tif 000009
である請求項１に記載の化合物。
【請求項９】
該化合物が
【化１０】
2013523846.tif 000010
である請求項１に記載の化合物。
【請求項１０】
該化合物が
【化１１】
2013523846.tif 000011
である請求項１に記載の化合物。
【請求項１１】
該化合物が
【化１２】
2013523846.tif 000012
である請求項１に記載の化合物。
【請求項１２】
該化合物が
【化１３】
2013523846.tif 000013
である請求項１に記載の化合物。
【請求項１３】
請求項１から１２のいずれかに記載の化合物および医薬的に許容される担体を含む組成物。
【請求項１４】
有効成分として請求項１から１２のいずれかに記載の化合物を含むことを特徴とする、眼部の疾患、病状または障害を治療するための医薬組成物であって、眼部の該疾患、病状または障害が（ａ）脈絡叢の血管新生により引き起こされる疾患、障害または病状、（ｂ）糖尿病網膜症および（ｃ）網膜浮腫からなる群より選択される医薬組成物。
【請求項１５】
眼部の疾患、障害または病状が加齢性黄斑変性症である請求項１４に記載の医薬組成物。
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
治療に有効な量のＶＥＧＦ−Ｃ拮抗剤と抗腫瘍性組成物との複合薬であって、
抗腫瘍性組成物は、ハイブリドーマＡＴＣＣ  ＨＢ  １０７０９によって産生されたモノクローナルＶＥＧＦ−Ａ抗体Ａ４．６．１と同じエピトープに結合するＶＥＧＦ−Ａ抗体を含むヒトの対象中のがんを治療する複合薬。
【請求項２】
ＶＥＧＦ−Ｃ拮抗剤は、ＶＥＧＦ−Ｃ抗体、ＶＥＧＦ−Ｃ変異体、ＶＥＧＦＲ−３抗体、ＶＥＧＦ−Ｃに特異的な受容体、ＶＥＧＦＲ−３受容体、ＶＥＧＦ−ＣまたはＶＥＧＦ−Ｃに特異的な受容体をブロック可能なアプタマー、ＶＥＧＦＲ−３チロシンキナーゼの低分子量阻害剤から選択され、
任意成分として、ＶＥＧＦ−Ｃ拮抗剤は、ＶＥＧＦ−Ｃ抗体であり、
任意成分として、ＶＥＧＦ−Ｃ拮抗剤は、ハイブリドーマＡＴＣＣ  ＰＴＡ−４０９５により生成されたＶＥＧＦ−Ｃのモノクローナル抗体６９Ｄ０９と同じエピトープに結合するＶＥＧＦ−Ｃ抗体である請求項１に記載の複合薬。
【請求項３】
ＶＥＧＦ−Ａ抗体は、ヒト抗体またはヒト化抗体である請求項１または２に記載の複合薬。
【請求項４】
ＶＥＧＦ−Ａ抗体はベバシズマブである請求項３に記載の複合薬。
【請求項５】
抗腫瘍性組成物は、化学療法剤をさらに含む請求項１〜４のいずれか１項に記載の複合薬。
【請求項６】
化学療法剤は、ドセタキセル、５−フルオロウラシル（５−ＦＵ）、テモゾロマイド（ＴＭＺ）、ゲムシタビン、オキサリプラチン、パクリタキセル、カルボプラチンおよびイリノテカンから構成される群から選択される請求項５に記載の複合薬。
【請求項７】
治療されるがん用の標準治療剤を含む請求項１〜６のいずれか１項に記載の複合薬。
【請求項８】
がんは、転移性、ステージＩＩＩまたはステージＩＶである請求項１〜７のいずれか１項に記載の複合薬。
【請求項９】
がんは、肺がん、気管支がん、結腸直腸がん、前立腺がん、膵臓がん、肝臓がん、食道がん、膀胱腺（ｕｒｉｎａｒｙ）がん、膀胱（ｂｌａｄｄｅｒ）がん、腎臓がん、乳がん、卵巣がんおよび脳腫瘍、膠芽細胞腫、および非ホジキンリンパ腫から選択される請求項１〜８のいずれか１項に記載の複合薬。
【請求項１０】
がんは、再発性であって、任意的に局所的に再発性である請求項１〜９のいずれか１項に記載の複合薬。
【請求項１１】
対象は、以前治療を受けていない請求項１〜１０のいずれか１項に記載の複合薬。
【請求項１２】
がんは、抵抗性を有し、任意的にＶＥＧＦ−Ａ拮抗剤に対して抵抗性を有する請求項１〜１１のいずれか１項に記載の複合薬。
【請求項１３】
任意の順序にて連続的に投与される請求項１〜１２のいずれか１項に記載の複合薬。
【請求項１４】
ヒトの対象中のがんを治療する際に使用されるＶＥＧＦ−Ｃ拮抗剤を含み、当該ＶＥＧＦ−Ｃ拮抗剤は、抗腫瘍性組成物と併用して対象に投与するためのものであって、
抗腫瘍性組成物は、ハイブリドーマＡＴＣＣ  ＨＢ  １０７０９によって産生されたモノクローナルＶＥＧＦ−Ａ抗体Ａ４．６．１と同じエピトープに結合するＶＥＧＦ−Ａ抗体を含むキット。
【手続補正書】
【提出日】平成26年1月30日(2014.1.30)
【手続補正１】
【補正対象書類名】明細書
【補正対象項目名】００５５
【補正方法】変更
【補正の内容】
【００５５】
図1aは、シリカナノゲル(SiNG)が銅を含まない条件下で対照として使用したDMDSのGC-MSスペクトルである。図1bは、DMDS-CuSiNG物質のGC-MSスペクトルである。7日間後ですら、DMDS-CuSiNG粉末からのDMDS臭が認められる。GC-MS試料調製のために、スペクトル法等級のクロロホルムを粉末およびDMDSに添加した。DMDS（対照）およびDMDS-CuSiNGのクロロホルム抽出物のGC-MSデータをそれぞれ図1aおよび図1bに示す。93(m/z)にDMDSの特徴的な分子ピークが、ばらばらになった構造についての他のピークと一緒に図２に示され、ここで、DMDS-SiNG物質生成物のGC-MSスペクトルは、両方の場合に見出され、DMDS-CuSiNG試料中にDMDSの存在を確認した。
【手続補正２】
【補正対象書類名】特許請求の範囲
【補正対象項目名】全文
【補正方法】変更
【補正の内容】
【特許請求の範囲】
【請求項１】
第１の成分および第２の成分を含む多機能性のシリカに基づくナノ粒子を含む組成物であって、第１の成分が抗菌剤、抗真菌剤またはそれらの組合せとして機能し、第２の成分が昆虫のための忌避剤として機能する組成物。
【請求項２】
第１の成分が、銅成分、亜鉛成分、チタン成分、セリウム成分、マグネシウム成分、ジルコニウム成分、ポリエチレンイミン(PEI)、フラーレン、炭素ナノチューブおよびそれらの組合せから選択され；第２の成分が硫黄化合物である請求項１記載の組成物。
【請求項３】
硫黄成分が、アルキルスルフィド、アルキルジスルフィド、アルキルトリスルフィド、アルキルテトラスルフィドおよびそれらの組合せから選択される請求項２記載の組成物。
【請求項４】
硫黄成分が、ジメチルジスルフィド(DMDS)、ジメチルスルフィド、ジエチルジスルフィド、ジエチルトリスルフィド、ジエチルテトラスルフィドおよびそれらの組合せから選択される請求項２記載の組成物。
【請求項５】
第１の成分が銅成分である請求項４記載の組成物。
【請求項６】
銅成分が、銅イオン、金属銅、銅酸化物、銅酸塩化物、銅硫酸塩、銅水酸化物およびそれらの組合せから選択される請求項２記載の組成物。
【請求項７】
硫黄成分が、アルキルスルフィド、アルキルジスルフィド、アルキルトリスルフィド、アルキルテトラスルフィドおよびそれらの組合せから選択される請求項６記載の組成物。
【請求項８】
硫黄成分が、ジメチルジスルフィド(DMDS)、ジメチルスルフィド、ジエチルジスルフィド、ジエチルトリスルフィド、ジエチルテトラスルフィドおよびそれらの組合せから選択される請求項６記載の組成物。
【請求項９】
硫黄成分がジメチルジスルフィド(DMDS)である請求項６記載の組成物。
【請求項１０】
DMDSが、銅イオンを介して、多機能性のシリカに基づくナノ粒子に付着される請求項９記載の組成物。
【請求項１１】
無定形シリカ物質中に配置された、複数の、請求項１〜10のいずれか1項記載の組成物を含むゲルであって、無定形シリカ物質が、第1の成分および第２の成分の一方または両方を含むゲル。
【請求項１２】
第２のシラン化合物をさらに含む請求項11記載のゲル。
【請求項１３】
第２のシラン化合物が、3-（トリヒドロキシシリル）プロピルメチルホスホネート、アルキルシラン、テトラエトキシシラン、テトラメトキシシラン、ケイ酸ナトリウム、ケイ酸もしくはケイ酸様の中間体を生じ得るシラン前駆体およびそれらの組合せから成る群より選択される請求項11記載のゲル。
【請求項１４】
多機能性のシリカに基づくナノ粒子ゲルを合成する方法であって、
装填されたシリカナノ粒子の一部分を水性反応媒体に添加して、混合物Iを形成すること；
第２の成分の一部分を、混合物Iを含む水性反応媒体に直接添加して、混合物IIを形成すること；および
混合物IIを混合して、請求項1〜10のいずれか1項記載の組成物を含む、多機能性のシリカナノ粒子ゲルを形成すること
を含む方法。
【請求項１５】
多機能性のシリカに基づくナノ粒子ゲルを合成する方法であって、
粉末にした装填されたシリカナノ粒子の一部分を反応容器に添加すること；
第２の成分の一部分を直接粉末に添加して、混合物Aを形成すること；および
混合物Aを混合して、請求項1〜10のいずれか1項記載の組成物を含む、多機能性のシリカナノ粒子ゲルを形成すること
を含む方法。
【請求項１６】
植物種における病気を治療、予防、または治療と予防の両方を行う方法であって、
請求項1〜10のいずれか1項記載の組成物、請求項10〜13のいずれか1項記載の多機能性のシリカに基づくナノ粒子ゲル、またはそれらの混合物を含有する組成物を植物に投与すること
を含む方法。
【請求項１７】
治療される植物が、柑橘種の一員である請求項16記載の方法。
【請求項１８】
治療される病気が、柑橘潰瘍、柑橘緑色化およびそれらの組合せからなる群より選択される請求項1７記載の方法。
【請求項１９】
第１の成分、第２の成分、または第１の成分と第２の成分の両方が、組成物が投与される日から約8カ月までの期間、植物の治療のために、持続するやり方で放出される請求項16記載の方法。
【請求項２０】
柑橘潰瘍に対して柑橘植物を治療すること、ならびに、柑橘植物において病原体を運び、柑橘緑色化病を広げるアジアン  シトラス  キジラミ(Asian Citrus Psyllid)(ACP)媒介物(vector)の侵入を防ぐことを同時に行うための方法であって、
請求項1〜10のいずれか1項記載の組成物、請求項10〜13のいずれか1項記載の多機能性のシリカに基づくナノ粒子ゲル、またはそれらの混合物を含む組成物を柑橘植物に投与すること
を含み、投与は、柑橘植物の葉および枝を実質的に被覆することを含む方法。
【請求項２１】
雨、風、雪および日光の少なくとも１種から選択される大気状態へ曝露して、ゆっくりとした放出で、植物毒性でないやり方で、Cuイオンおよびジメチルジスルフィド(DMDS)を浸出させることをさらに含み、複数の銅イオンおよびジメチルジスルフィドが、植物組織表面での施与の場所から外へ拡散し、急速に成長する果実および葉の曝露組織表面を覆い、それによって、成育季節当たりの施与頻度を最小にし、植物表面適用範囲を増加させ、且つ、柑橘潰瘍および柑橘緑色化病のための治療を必要とする柑橘植物の適用範囲の長続きを増加させる、請求項20記載の方法。
【請求項２２】
シリカに基づく処方物が、第２のシラン化合物をさらに含んで、均質な植物表面適用範囲を達成して、銅イオン放出速度を調節し、雨-耐性を改善し、かつ植物表面適用範囲の長続きを増加させる請求項20記載の方法。
【請求項２３】
第２のシラン化合物が、3-（トリヒドロキシシリル）プロピルメチルホスホネート、アルキルシラン、テトラエトキシシラン、テトラメトキシシラン、ケイ酸ナトリウム、ケイ酸もしくはケイ酸様の中間体を生じ得るシラン前駆体およびそれらの組合せから成る群より選択される請求項22記載の方法。
【請求項２４】
投与が噴霧を含む請求項20記載の方法。
【誤訳訂正書】
【提出日】平成26年5月7日(2014.5.7)
【誤訳訂正１】
【訂正対象書類名】明細書
【訂正対象項目名】００２０
【訂正方法】変更
【訂正の内容】
【００２０】
ブチレン異性体のいずれの混合物を用いる実施形態においても、炭化水素供給原料中のブチレンの１パスあたりの変換率は（すなわち、全Ｃ４オレフィンの変換に基づく）、重量で少なくとも１５％（例：２０％から６０％の範囲）であり、ブチレンがプロピレンへ変換される選択性は、重量で少なくとも２０％（例：２０％から６５％の範囲）、および多くの場合、４０％から６０％の範囲である。
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
液相中、水素化触媒の存在下でｔｅｒｔ−ブチルアミンおよび水素を用いた、式ＩＩのアルデヒドの還元的アミノ化による式Ｉの不斉第二級ｔｅｒｔ−ブチルアミンの製造方法であって、以下の工程：
（ｉ）  圧力容器内にｔｅｒｔ−ブチルアミンおよび水素化触媒を準備する工程、
（ｉｉ）  水素を添加し、且つ、式ＩＩ
【化１】
2013523799.tif 000001
のアルデヒドを連続的に添加する工程、ここで、式ＩＩのアルデヒドは、アセトアルデヒド、プロピオンアルデヒド、ｎ−ブチルアルデヒド、ｉ−ブチルアルデヒド、第二級ブチルアルデヒド、ピバリンアルデヒド、ｎ−ペンタナール、ｎ−ヘキサナール、２−エチルヘキサナール、２−メチルペンタナール、３−メチルペンタナール、４−メチルペンタナール、ｎ−オクタナール、ｎ−デカナール、ｎ−ウンデカナール、ｎ−ドデカナール、１１−メチルドデカナール、シクロペンチルアルデヒド、シクロヘキシルアルデヒド、シクロヘプチルアルデヒド、アダマンチルアルデヒド、フェニルアセトアルデヒドおよびベンズアルデヒドの群、またはそれらのアルデヒドの混合物から選択され、且つ、水素の、式ＩＩのアルデヒドに対する比が少なくとも等モルであり、
（ｉｉｉ）  工程（ｉｉ）におけるアルデヒドの添加の間の温度を５０〜１５０℃の範囲に保持し、且つ、工程（ｉｉ）におけるアルデヒドの添加の間の総圧を２〜１２０ｂａｒの範囲に保持する工程、
（ｉｖ）  形成された式Ｉ
【化２】
2013523799.tif 000002
の第二級ｔｅｒｔ−ブチルアミンと反応水とを含有する、工程（ｉｉｉ）からの水素化搬出物の水分を除去する工程、および
（ｖ）  引き続き、工程（ｉｖ）からの水分を除去された水素化搬出物を分別蒸留する工程
を含み、工程（ｉ）〜（ｉｉｉ）を、反応条件下で不活性な溶剤の存在下で、または溶剤の不存在下で実施する、
前記製造方法。
【請求項２】
工程（ｉ）において用いられるｔｅｒｔ−ブチルアミンの、工程（ｉｉ）において供給される式ＩＩのアルデヒドに対するモル比が、１対１〜１対１．４の範囲である、請求項１に記載の方法。
【請求項３】
工程（ｉｉ）における式ＩＩのアルデヒドの供給を、３０〜６００分のうちに行う、請求項１または２に記載の方法。
【請求項４】
水素化触媒の触媒活性材料が、ニッケル、コバルト、ルテニウム、ロジウム、パラジウム、白金、銅およびそれらの金属の混合物および／または金属酸化物の群から選択される、金属および／または金属酸化物を含有する、請求項１から３までのいずれか１項に記載の方法。
【請求項５】
懸濁水素化の場合、水素化触媒が水素化搬出物から工程（ｉｖ）における水の除去前に取り除かれ、且つ、工程（ｉ）における水素化段階に返送される、請求項１から４までのいずれか１項に記載の方法。
【請求項６】
触媒を含まない水素化搬出物の水の除去を、苛性ソーダ水溶液を用いて行う、請求項１から５までのいずれか１項に記載の方法。
【請求項７】
触媒を含まない水素化搬出物の水の除去を、炭化水素との共沸蒸留によって行う、請求項１から５までのいずれか１項に記載の方法。
【請求項８】
半連続的に稼働される、請求項１から７までのいずれか１項に記載の方法。
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
式Ｉ
【化１】
2013523797.tif 000001
［式中、
Ｒは水素、直鎖または分枝鎖の、１〜１５個の炭素原子を有する脂肪族基、５〜１０個の炭素原子を有する脂環式基、ｏ位、ｍ位および／またはｐ位において１〜４個の炭素原子を有する脂肪族基によって置換されていることがあるアラルキル基またはフェニル基の群から選択される］
の不斉第二級ｔｅｒｔ−ブチルアミンを、式ＩＩのアルコールまたは式ＩＩＩのアルデヒドをｔｅｒｔ−ブチルアミンおよび水素と共に、気相中、水素化触媒の存在下で連続的にアミノ化することにより製造するための方法であって、以下の工程：
（ｉ）  水素化触媒で満たされた反応器を準備する工程、
（ｉｉ）  反応器を６０〜２４０℃の範囲の温度に加熱し、且つ、１〜１００ｂａｒの範囲の圧力を印加する工程、
（ｉｉｉ）  水素、ｔｅｒｔ−ブチルアミンおよび式ＩＩ
【化２】
2013523797.tif 000002
のアルコール、または式ＩＩＩ
【化３】
2013523797.tif 000003
のアルデヒドを、工程（ｉｉ）による反応器に連続的に添加する工程、ここで、式ＩＩのアルコールまたは式ＩＩＩのアルデヒドの、ｔｅｒｔ−ブチルアミンに対するモル比は、０．５対１〜１．４対１の範囲であり、且つ、Ｒは式ＩＩのアルコールについても式ＩＩＩのアルデヒドについても、式ＩにおけるＲと同じ意味を有する、
（ｉｖ）  反応器を冷却および放圧し、且つ工程（ｉｉｉ）から取得された水素化搬出物を取り出す工程
を含む前記方法。
【請求項２】
工程（ｉｖ）による水素化搬出物を、以下の後処理工程：
ａ）  工程（ｉｖ）からの水素化搬出物を、アルカリ金属および／またはアルカリ土類金属水酸化物水溶液を用いて抽出する工程、
ｂ）  工程ａ）から取得された水相を有機相から分離する工程、および
ｃ）  工程ａ）から取得された有機相を分別蒸留する工程
に供する、請求項１に記載の方法。
【請求項３】
α）  式Ｉの化合物、式ＩＩのアルコールまたは式ＩＩＩのアルデヒドおよびｔｅｒｔ−ブチルアミンの合計の含有率が、工程（ｉｖ）からの水素化搬出物の２質量％よりも多い場合、工程ａ）から取得された水相を、脂肪族、脂環式および／または芳香族炭化水素の群から選択され、アルカリ金属および／またはアルカリ土類金属水酸化物水溶液と混和性ギャップを有する炭化水素と、もう１回混合し、
β）  引き続き、該炭化水素相を、水相から分離し
γ）  炭化水素を、炭化水素相から蒸留により除去し、
δ）  且つ、蒸留残留物と工程ｂ）から取得された有機相とを一緒にする、
請求項２に記載の方法。
【請求項４】
工程ｂ）から取得された有機相の含水率が、工程ｂ）の後に得られた有機相の総質量に対して５質量％までである、請求項１から３までのいずれか１項に記載の方法。
【請求項５】
式Ｉ、ＩＩおよびＩＩＩにおけるＲがメチルである、請求項１から４までのいずれか１項に記載の方法。
【請求項６】
工程ａ）による抽出のためのアルカリ金属および／またはアルカリ土類金属水酸化物溶液が、１〜７５質量％の苛性ソーダである、請求項２から５までのいずれか１項に記載の方法。
【請求項７】
工程ｉ）における水素化触媒として、ニッケル、コバルト、ルテニウム、ロジウム、パラジウム、白金および銅またはこれらの金属の混合物の群から選択される金属および／または金属の酸素化合物を用いる、請求項１から６までのいずれか１項に記載の方法。
【請求項８】
酸化物触媒前駆体が、１〜７０質量％が酸化銅からなり、且つ１００％までの残りが酸化アルミニウムからなることを特徴とする、請求項７に記載の方法。
【請求項９】
式ＩＩのアルコールを用いる、請求項１から８までのいずれか１項に記載の方法。
【請求項１０】
供給される水素量が、触媒１リットルあたり且つ１時間あたり１５０〜２５０ＮＬの範囲の水素である、請求項１から９までのいずれか１項に記載の方法。
【請求項１１】
溶剤の不在下で作業する、請求項１から１０までのいずれか１項に記載の方法。
【請求項１２】
触媒水素化のために、触媒負荷が、水素化触媒１Ｌあたり１時間あたり０．１〜０．３ｋｇのｔｅｒｔブチルアミンに調節される、請求項１から１１までのいずれか１項に記載の方法。